(57)【要約】【課題】輸送などにより分離されることなく、手で容易に分離することができるセパレートトレー容器を提供する。【解決手段】ミシン目状の切り離し線８は、セパレートトレー容器の最外周から順に、３．７ｍｍのカット部ｘ、０．５ｍｍの連結部ｙ、２．８ｍｍのカット部ｘ、０．４ｍｍの連結部ｙ、３．５ｍｍのカット部ｘ、０．３ｍｍの連結部ｙというように形成されている。即ち、最も外周に位置する連結部ｙの切り離し線８に沿う長さは、他の連結部ｙより長い０．５ｍｍであり、それ以外の全ての連結部ｙの切り離し線８に沿う長さは、０．４ｍｍまたは０．３ｍｍである。最外周の連結部ｙを長くすることにより、この連結部ｙを比較的強く形成し、残りの連結部ｙを短く形成することにより弱い連結に形成している。よって、輸送中に分離することを防止することができると共に、人の手によって容易に分離することができる。【選択図】図３
2009035320.tif 000002
【特許請求の範囲】
【請求項１】
複数のトレーが接合部を介して連設されるとともに、その接合部にカット部と連結部とが交互に配置されるミシン目状の切り離し線を有し、
複数の前記連結部の切り離し線に沿う長さは、異なる長さに形成され、少なくとも複数のトレーが接合されるトレーの最外周に最も近い連結部の切り離し線に沿う長さは、最大の長さに形成されていることを特徴とするセパレートトレー容器。
【請求項２】
前記トレーの最外周に最も近い連結部よりトレーの内側に設けられた連結部の切り離し線に沿う長さは、前記トレーの最外周に最も近い連結部の切り離し線に沿う長さより短く形成されていることを特徴とする請求項１記載のセパレートトレー容器。
【請求項３】
前記接合部からトレーの底部に至る隔壁の一部に、隣り合うトレーの隔壁に向かう凸部が形成されていることを特徴とする請求項１または２記載のセパレートトレー容器。
【請求項４】
前記切り離し線が形成される接合部には、その切り離し線と交叉する凸状または凹状のリブが形成されていることを特徴とする請求項１から３のいずれかに記載のセパレートトレー容器。
【請求項５】
前記複数のトレーには、それぞれトレー内から外方に向かって突出する取っ手部が形成され、その取っ手部の周囲に形成される切り離し線は、取っ手部の内部に中心を有する円弧状に形成されていることを特徴とする請求項１から４のいずれかに記載のセパレートトレー容器。
【発明の詳細な説明】
【技術分野】
【０００１】
本発明は、セパレートトレー容器に関し、特に、輸送などにより分離されることなく、手で容易に分離することができるセパレートトレー容器に関するものである。
【背景技術】
【０００２】
従来より、複数のトレーを１つのプラスティックで一体に形成し、各トレーを手などによって容易に分離することができるセパレートトレー容器が提案されている。これらのトレーには、ハンバーグ、コロッケ等の冷凍食品、菓子等の食品、あるいはバター、マーガリン、ジャム、ドレッシング等の流動性を有する食品を個別に収納し、必要に応じてトレーを分離して使用していた。特開２０００−３３９３０号公報（特許文献１）には、ミシン目による切り離し線を非直線上に形成するとともに、ミシン目の繋がった部分が、一直線上に存在しないように配置されるセパレートトレー容器が開示されている。このように切り離し線を形成することにより、セパレートトレー容器を包装機械などに供給する際に、セパレートトレー容器が変形することを防止できるとしている。
【特許文献１】特開２０００−３３９３０号公報
【発明の開示】
【発明が解決しようとする課題】
【０００３】
しかしながら、特許文献１に記載されるように切り離し線を非直線状に形成したり、ミシン目の繋がった部分が、一直線上に存在しないように配置した場合でも、その切り離し線が弱い場合には、食品を収納する工程や、包装を行う工程、あるいは輸送中に、切り離し線で分離してしまう場合があった。また、その切り離し線が強固に形成された場合には、容易に手で分離できないという問題点があった。
【０００４】
本発明は、上述した問題点を解決するためになされたものであり、輸送などにより分離されることなく、手で容易に分離することができるセパレートトレー容器を提供することを目的としている。
【課題を解決するための手段】
【０００５】
この目的を達成するために請求項１記載のセパレートトレー容器は、複数のトレーが接合部を介して連設されるとともに、その接合部にカット部と連結部とが交互に配置されるミシン目状の切り離し線を有し、複数の前記連結部の切り離し線に沿う長さは、異なる長さに形成され、少なくとも複数のトレーが接合されるトレーの最外周に最も近い連結部の切り離し線に沿う長さは、最大の長さに形成されている。
【０００６】
請求項２記載のセパレートトレー容器は、請求項１記載のセパレートトレー容器において、前記トレーの最外周に最も近い連結部よりトレーの内側に設けられた連結部の切り離し線に沿う長さは、前記トレーの最外周に最も近い連結部の切り離し線に沿う長さより短く形成されている。
【０００７】
請求項３記載のセパレートトレー容器は、請求項１または２記載のセパレートトレー容器において、前記接合部からトレーの底部に至る隔壁の一部に、隣り合うトレーの隔壁に向かう凸部が形成されている。
【０００８】
請求項４記載のセパレートトレー容器は、前記切り離し線が形成される接合部には、その切り離し線と交叉する凸状または凹状のリブが形成されている。
【０００９】
請求項５記載のセパレートトレー容器は、前記複数のトレーには、それぞれトレー内から外方に向かって突出する取っ手部が形成され、その取っ手部の周囲に形成される切り離し線は、取っ手部の内部に中心を有する円弧状に形成されている。
【発明の効果】
【００１０】
請求項１記載のセパレートトレー容器によれば、複数のトレーが接合部を介して連設され、その接合部にカット部と連結部とが交互に配置されるミシン目状の切り離し線を有している。そして、複数の連結部の切り離し線に沿う長さは、異なる長さに形成され、少なくとも複数のトレーが接合されるトレーの最外周に最も近い連結部の切り離し線に沿う長さは、最大の長さに形成されている。よって、最外周の連結部が内部の連結部より強固であって、輸送などにより分離されることを防止することができるとともに、最外周に最も近い連結部を切り離すと、残りの連結部を容易に切り離すことができるという効果がある。
【００１１】
請求項２記載のセパレートトレー容器によれば、請求項１記載のセパレートトレー容器の奏する効果に加え、トレーの最外周に最も近い連結部よりトレーの内側に設けられた連結部の切り離し線に沿う長さは、前記トレーの最外周に最も近い連結部の切り離し線に沿う長さより短く形成されているので、最外周に最も近い連結部を分離させれば、内側の連結部を容易に分離することができるという効果がある。
【００１２】
請求項３記載のセパレートトレー容器によれば、請求項１または２記載のセパレートトレー容器の奏する効果に加え、接合部からトレーの底部に至る隔壁の一部に、隣り合うトレーの隔壁に向かう凸部が形成されているので、セパレートトレーの一部を保持した場合に、隣合う隔壁に形成された凸部により接合部が折れ曲がる角度が大きくなることを防止することができる。よって、輸送などにより切り離し線で分離されることを防止することができるという効果がある。
【００１３】
請求項４記載のセパレートトレー容器によれば、請求項１から３のいずれかに記載のセパレートトレー容器の奏する効果に加え、切り離し線が形成される接合部には、その切り離し線と交叉する凸状または凹状のリブが形成されているので、接合部が強固であり、接合部が折れ曲がることを防止することができる。よって、輸送などによって、切り離し線が切り離されることを防止することができるという効果がある。
【００１４】
請求項５記載のセパレートトレー容器によれば、請求項１から４のいずれかに記載のセパレートトレー容器の奏する効果に加え、複数のトレーには、それぞれトレー内から外方に向かって突出する取っ手部が形成され、その取っ手部の周囲に形成される切り離し線は、取っ手部の内部に中心を有する円弧状に形成されているので、取っ手部を手や指で保持する場合に、手や指に接触する部分が鋭利な形状にはならず、保持しやすいという効果がある。
【発明を実施するための最良の形態】
【００１５】
以下、本発明の好ましい実施形態について、添付図面を参照して説明する。図１は、本発明の一実施形態におけるセパレートトレー容器１を示す斜視図であり、図２は、平面図である。図１および図２に示すように、セパレートトレー容器１は、６個のトレー２が、接合部６を介して連設されている。
【００１６】
セパレートトレー容器１は、ポリプロピレン、ポリスチレン等のプラスティックにより成型されるものであり、各トレー２は、底面４と、その底面４の周囲に立設される壁面３とにより形成される。各トレー２は、接合部６を介して隣合うトレー４と連設され、接合部６に１本のミシン目状の切り離し線８が形成される。この切り離し線８の詳細は、図３を参照して説明するが、特別な道具を用いることなく人の手で、その切り離し線８に沿ってトレー２を１個ずつ切り離すことができるものである。なお、切り離し線８において、実線で示した箇所ｘはミシン目のカットされた部分であるカット部ｘを示し、黒丸で示した箇所ｙはミシン目のつながっている部分である連結部ｙを示す。
【００１７】
各接合部６には、リブ１２が２カ所形成されている。これらのリブ１２は、接合部６に形成された切り離し線８と交叉する方向であって凹状に形成されている。このようにリブ１２を形成することにより、接合部６が強固になり、接合部６が折り曲げられるのを防止することができる。
【００１８】
セパレートトレー容器１の外側の４つのトレー２には、三角片である取っ手１８が形成され、中央の２つのトレー２には、三角片である取っ手１８と、四角片である取っ手２０とが形成される。切り離し線８は、これらの取っ手１８および取っ手２０が、それぞれのトレーに繋がるように形成されている。したがって、トレー２を切り離したときに上記取っ手１８、２０がトレー２の取っ手として機能する。この取っ手１８，２０を囲む切り離し線８は、取っ手１８、２０を囲むように取っ手１８、２０の内側に中心を有する円弧状の曲線８ａで形成されている。よって、切り離し線８で各トレー２を分離し、この取っ手を手または指で持つ場合に、取っ手１８，２０の外周が鋭利にならず、指が痛くないという利点がある。また、この取っ手１８，２０は、トレー２の内容物が電子レンジで加熱するものである場合、加熱後の熱くなった内容物をトレー２ごと持ち運ぶのに便利である。
【００１９】
図３（ａ）は、図２においてＡで囲む部分の切り離し線８を拡大して示す平面図である。図３（ａ）に示すように、ミシン目状の切り離し線８は、セパレートトレー容器１の最外周から順に、３．７ｍｍのカット部ｘ、０．５ｍｍの連結部ｙ（Ｌ）、２．８ｍｍのカット部ｘ、０．４ｍｍの連結部ｙ（Ｍ）、３．５ｍｍのカット部ｘ、０．３ｍｍの連結部ｙ、３．２ｍｍのカット部ｘ、０．３ｍｍの連結部ｙというように形成されている。即ち、最も外周に位置する連結部ｙの切り離し線８に沿う長さは、０．５ｍｍであり、それ以外の連結部ｙの切り離し線８に沿う長さは、０．４ｍｍまたは０．３ｍｍである。
【００２０】
図３（ｂ）は、セパレートトレー容器１の全体の切り離し線８を示す平面図である。この平面図では、切り離し線８に沿う長さが０．５ｍｍの連結部ｙをＬで、切り離し線８に沿う長さが０．４ｍｍの連結部ｙをＭで、切り離し線８に沿う長さが０．３ｍｍである連結部ｙには符号を付けないでそれぞれ示す。図３（ｂ）に示すように、セパレートトレー容器１の最外周に最も近い連結部ｙの切り離し線８に沿う長さは、０．５ｍｍであり、その最外周に最も近い連結部ｙの隣の連結部ｙと、取っ手２０に隣接する８カ所の連結部ｙとの切り離し線８に沿う長さは、０．４ｍｍであり、その他の連結部ｙの切り離し線８に沿う長さは、０．３ｍｍである。
【００２１】
セパレートトレー容器１の切り離し線８は、容易に手によって切り離すことができるように形成するが、連結部ｙの切り離し線８に沿う長さが短いと、連結部ｙの結合力が弱くなりすぎて食品を収納する作業工程や輸送中に分離することがある。図３（ａ）、（ｂ）に示すように、最外周部の連結部ｙを最大の長さ（Ｌ）にすることにより、この最外周の連結部ｙを比較的強く形成し、残りの連結部ｙの長さを短く形成することにより、残りの連結部ｙをやや弱く形成している。このように切り離し線８を形成することにより、食品を収納する作業や輸送中に分離することを防止することができる共に、人の手によって容易に離すことができる。
【００２２】
図４は、図２に示すＢ−Ｂ切断線におけるセパレートトレー容器１の側面断面図である。このセパレートトレー容器１では、壁面３が所定の角度で底面４から立ち上がるように形成され、その壁面３の内側に食品などが収納される。壁面３が底面４から所定の角度を成すように形成されているのは、開口部を大きくして食品などを収納する場合に、位置合わせが容易であるとともに、収納した食品が輸送などにより移動するの防ぎ、食品が変形したり、崩れるのを防止することを目的としている。
【００２３】
一方、この壁面３が底面４から所定の角度を成すよう形成され、隣合う壁面３同士は、所定の距離を明けて形成されているため、セパレートトレー容器１の一部を持った場合に、壁面３が接するように折れ曲げられることがある。図４（ａ）は、セパレートトレー容器１が折り曲げられることなく、水平に保持された状態を示すものであり。図４（ｂ）は、セパレートトレー容器１が接続部６で折り曲げられた状態を示すものである。
【００２４】
セパレートトレー容器１が折り曲げられた場合に、折り曲げられる角度が大きいと、切り離し線８が、離れてしまう恐れがある。そこで、本発明のセパレートトレー容器１では、隣合うそれぞれの壁面３に凸部１０を設けている。この凸部１０は、トレー２の内側から、隣のトレー２に向かって突出し、隣のトレー２に形成されている凸部１０と対向して形成される。隣合う壁面３同士が接する場合には、この凸部１０同士が接することにより、折り曲げられる角度が大きくなるのを防止している。図４（ｂ）に示すように、セパレートトレー容器１が折り曲げられた場合に、隣り合う壁面３に設けられた凸部１０同士が接するので、折り曲げ角度が大きくなることを防止することができる。よって、不用意にセパレートトレー容器１の一部を保持することにより、一部のトレー２が折れ曲がることがあっても、大きい角度で折れ曲がることがなく、切り離し線８で分離されることを防止することができる。
【００２５】
次に、図５を参照して、他の実施形態について説明する。図５（ａ）は、第２の実施形態を示す切り離し線を示す平面図であり、図５（ｂ）は、第２の実施形態を示す切り離し線を示す平面図である。これらの図では、図３（ｂ）と同様に、切り離し線８に沿う長さが０．５ｍｍの連結部ｙをＬで、切り離し線８に沿う長さが０．４ｍｍの連結部ｙをＭで、切り離し線８に沿う長さが０．３ｍｍである連結部ｙには符号を付けないでそれぞれ示す。図５（ａ）に示す第２の実施形態では、セパレートトレー容器１の最外周に最も近い連結部ｙと、各切り離し線８の直線の両端付近に位置する連結部ｙの切り離し線８に沿う長さは、０．５ｍｍであり、その他の連結部ｙの切り離し線８に沿う長さは、０．３ｍｍである。
【００２６】
また、図５（ｂ）に示す第３の実施形態では、セパレートトレー容器１の最外周に最も近い連結部ｙの切り離し線８に沿う長さは、０．５ｍｍであり、その隣に位置する連結部ｙと各切り離し線８の直線の両端付近に位置する連結部ｙの切り離し線８に沿う長さは、０．４ｍｍであり、その他の連結部ｙの切り離し線８に沿う長さは、０．３ｍｍである。
【００２７】
以上、実施形態に基づき本発明を説明したが、本発明は上記実施形態に何ら限定されるものではなく、本発明の趣旨を逸脱しない範囲内で種々の改良変形が可能であることは容易に推察できるものである。
【００２８】
例えば、上記実施形態では、セパレートトレー容器１の最外周から順に、まずカット部ｘを形成し、次に切り離し線８に沿う長さが０．５ｍｍの連結部ｙ、次にカット部ｘを形成するようにしたが、最外周に切り離し線８に沿う長さが０．５ｍｍの連結部ｙを形成し、次にカット部ｘ、次に切り離し線８に沿う長さが０．４ｍｍの連結部ｙというように形成してもよい。
【００２９】
また、上記実施形態では、リブ１２は、凹状に形成するものとしたが、凸状や、凸状と凹状のリブを組み合わせるようにしてもよい。
【図面の簡単な説明】
【００３０】
【図１】本発明の一実施形態におけるセパレートトレー容器を示す斜視図である。
【図２】セパレートトレー容器を示す平面図である。
【図３】切り離し線を示す平面図である。
【図４】Ｂ−Ｂ線における側面断面図であり、（ａ）は、水平に保持された状態を示し、（ｂ）は、接合部で折り曲げられた状態を示す。
【図５】（ａ）は、第２の実施形態を示す切り離し線を示す平面図であり、（ｂ）は、第２の実施形態を示す切り離し線を示す平面図である。
【符号の説明】
【００３１】
１              セパレートトレー容器
２              トレー
３              壁面
４              底面
６              接合部
８              切り離し線
１０            凸部
１２            リブ
１８，２０      取っ手
ｘ              カット部
ｙ              連結部
【図１】
2009035320.tif 000003
【図２】
2009035320.tif 000004
【図３】
2009035320.tif 000005
【図４】
2009035320.tif 000006
【図５】
2009035320.tif 000007